(57)【要約】【課題】排尿時により素早く局部を取り出すことができる男性用のズボンを提供する。【解決手段】男性が着用するズボン（１００）であって、本体部（１）と、ズボン（１００）の前面において局部を覆う位置に設けられた開口布部（２）と、を備え、開口布部（２）は、ズボン（１００）の股下側から上方に捲り上げられることにより局部を取り出し可能な開口部（７）を形成する。【選択図】図５
2020190061.tif 000002
【特許請求の範囲】
【請求項１】
男性が着用するズボンであって、
本体部と、
前記ズボンの前面において局部を覆う位置に設けられた開口布部と、を備え、
前記開口布部は、前記ズボンの股下側から上方に捲り上げられることにより前記局部を取り出し可能な開口部を形成する、
ことを特徴とするズボン。
【請求項２】
請求項１に記載のズボンであって、
前記開口布部は、前記ズボンの前面において前記本体部と連続する折り曲げ部と、前記折り曲げ部より股下側において前記本体部と着脱可能に構成された縁部とを有し、
前記開口部は、前記縁部が前記本体部から離れるとともに前記折り曲げ部を支軸として上方に捲り上げられることにより形成される、
ズボン。
【請求項３】
請求項２に記載のズボンであって、
ファスナをさらに有し、
前記縁部は、前記ファスナを介して前記本体部と着脱可能に構成される、
ズボン。
【請求項４】
請求項３に記載のズボンであって、
前記縁部は、前記ファスナが閉じた状態において前記本体部の外側と対向する部分を含み、
前記ファスナの少なくとも一部は、前記対向する部分に設けられる、
ズボン。
【請求項５】
請求項１から４のいずれかに記載のズボンであって、
前記開口布部は、前記股下側に向かうテーパー形状に構成される、
ズボン。
【発明の詳細な説明】
【技術分野】
【０００１】  本発明は、ズボンに関する。
【背景技術】
【０００２】  従来、男性用のズボンにおいて、排尿時にズボンを下ろすことなく局部を取り出すために、ズボンの前面中央にファスナによって開閉可能な開口部（前開き）が設けられたものが知られている（例えば、特許文献１参照）。
【先行技術文献】
【特許文献】
【０００３】
【特許文献１】特開２０１１−３２５８５号公報
【発明の概要】
【発明が解決しようとする課題】
【０００４】  ところで、上記ズボンを着用時に排尿する際には、局部を取り出すために上下方向に直線状に設けられたファスナを開けるとともに、ファスナ部分の布を指で左右方向に開いて開口部を形成する必要がある。しかしながら、このようにして形成される開口部は狭く、特に老人や幼児が急いで排尿したい状況下では、指で開いて形成した開口部から、さらに指を入れて局部を取り出す一連の動作を素早く行うことが困難な場合がある。また、股上の短いタイプのズボンにおいては、開口部がさらに狭くなり、局部の取り出し動作がより困難になるという問題がある。【０００５】  本発明は、排尿時により素早く局部を取り出すことができる男性用のズボンを提供することを目的とする。
【課題を解決するための手段】
【０００６】  本発明は、男性が着用するズボンであって、本体部と、ズボンの前面において局部を覆う位置に設けられた開口布部と、を備えるズボンである。当該開口布部は、本体部の股下側から上方に捲り上げられることにより局部を取り出し可能な開口部を形成する。
【発明の効果】
【０００７】  本発明によれば、ズボンの前面に設けられた開口布部を上方に捲り上げることによって局部を取り出し可能な開口部を形成することができるので、排尿時により素早く局部を取り出すことができる。
【図面の簡単な説明】
【０００８】
【図１】図１は、一実施形態のズボンを説明する図である。
【図２】図２は、一実施形態の開口布部を説明する図である。
【図３】図３は、通常使用時において開口布部が本体部と接合する構成を説明する図である。
【図４】図４は、排尿時の開口布部と本体部の構成を説明する図である。
【図５】図５は、一実施形態のズボンの使用状態を説明する図である。
【図６】図６は、変形例のズボンを説明する図である。
【図７】図７は、通常使用時において開口布部が本体部と接合する構成の他の例を説明する図である。
【発明を実施するための形態】
【０００９】  以下、図面等を参照して本発明の実施形態について説明する。
【００１０】  ［実施形態］
図１は、本実施形態のズボン１００の外観を説明するための図である。図１（ａ）は、ズボン１００を正面（前面）から見た正面図を示し、図１（ｂ）は、ズボン１００を背面から見た背面図を示し、図１（ｃ）は、ズボン１００を左側面から見た左側面図を示す。
【００１１】なお、本明細書においてズボン１００を説明する際に用いる方向を示す文言は、ズボン１００を穿いて直立した人（着用者）から見た方向を基準とする。すなわち、上下方向は直立時の着用者にかかる重力方向の上下方向と一致し、前後左右方向は着用者から見た前後左右方向と一致するものとする。また、内側は着用者の身体側、外側は着用者の身体側とは逆側の表面を示す。
【００１２】本実施形態のズボン１００は、男性用のいわゆるボトムスであって、スラックス、ジーンズ、あるいはチノパン等を含む下半身用の被服である。本実施形態のズボン１００は、本体部１と、開口布部２と、前立て部１０とを主に備えて構成される。
【００１３】本体部１は、ズボン１００において、主に、着用者の臀部、下腹部、左右の腰脇部、および両足を収容する部分である。本体部１は、ズボン１００において着用者を覆う部分のうち、後述する開口布部２以外の部分を含む。
【００１４】開口布部２は、ズボン１００の前面中央部分において、少なくとも着用者である男性の陰部（局部）を覆う位置（範囲）に設けられた布部分である。本実施形態の開口布部２は、着用者の局部を覆う位置に、当該局部を覆うのに十分な面積を有して配置されている。また、開口布部２は、図示のように、ズボン１００の前面中央における下腹相当部分に位置する上端部分において局部を十分に覆える程度の左右方向の長さを有するとともに、当該上端部分から股下側に向かって先細るテーパー形状に構成される。また、本実施形態の開口布部２の上端部分は、本体部１と連続するように構成される。ただし、開口布部２は本体部１と同一の布で一体的に連続している必要は必ずしもなく、連続性が担保される限り、別個の素材を縫い合わせて構成されてもよい。開口布部２の詳細は、図２から４を参照して後述する。
【００１５】前立て部１０は、ズボン１００の前面に設けられた前立て（前開き）部分である。前立て部１０は、公知のいわゆる前立て部分と同様に、ファスナ又はボタンを有し、局部を取り出すため、あるいは、ズボン１００を穿いたり脱いだりするために当該ファスナ等を開閉することによって開閉可能に構成される。
【００１６】  本実施形態の開口布部２の詳細について説明する。最初に、本体部１と着脱可能に構成される開口布部２の特に股下側の先端部分の構成について図２を用いて説明する。
【００１７】  図２は、開口布部２の特に先端部分の構成を説明するための図である。図２（ａ）は、図１（ａ）に示すＡ矢視図であって、ズボン１００の内側を上方から見た図である。図２（ｂ）は、図１（ａ）に示すＢ矢視図であって、ズボン１００の外側を下方（股下側）から見た図である。
【００１８】  図２（ａ）が示すように、本体部１は、内側の股下位置における前後方向略中央部分にファスナ５ａを備える。本実施形態のファスナ５ａは、面的に着脱できる面ファスナの凸（フック）側である。ファスナ５ａは、ズボン１００の内側において本体部１と固定されるとともに、フックが形成される面（フック面）の少なくとも一部がズボン１００の外側に露出するように設けられる。
【００１９】そして、排尿時以外の通常の使用状態で着用している時（通常使用時）には、図２（ｂ）が示すように、開口布部２の先端部分は、ズボン１００の外側の股下位置における略中央部分において本体部１と接合される。なお、図２（ｂ）には表れていないが、開口布部２の先端部分の内側には、ファスナ５ａと着脱できるファスナ５ｂが設けられる。本実施形態のファスナ５ｂは、面的に着脱できる面ファスナの凹（ループ）側である。ファスナ５ａとファスナ５ｂとが接合される態様については図３を参照して説明する。
【００２０】  図３は、図２（ａ）に示すＣ−Ｃ断面図であって、開口布部２の股下側の先端部分が本体部１と着脱可能に接合する構成を説明するための図である。図示するように、本体部１の股下部分の内側には、ファスナ５ａがフック面の少なくとも一部を外側に露出するように設けられている。本体部１とファスナ５ａは、例えば縫い合わされて固定される。
【００２１】  一方、開口布部２の先端部分の内側には、ファスナ５ｂが、ループが形成された面（ループ面）が内側に向くように設けられている。開口布部２とファスナ５ｂとは、例えば縫い合わされて固定される。これにより、開口布部２の先端部分と本体部１とが股下部分においてファスナ５ａおよびファスナ５ａを介して着脱可能に接合される。
【００２２】  次に、開口布部２の上述の先端部分以外の部分が本体部１と着脱可能となる構成の詳細について説明する。
【００２３】  図４は、本体部１および開口布部２の構成の詳細を説明する図である。図中の開口布部２は、通常使用時における開口布部２の裏側であって、本体部１に固定された状態ではズボンの内側を構成する部分を示す。すなわち、図４は、本体部１と開口布部２が接合された状態（図１（ａ）参照）から、開口布部２が開口布部２と本体部１との境目である折り曲げ部９を支軸として上方に捲り上げられることによって開口部７が形成された状態を示している。
【００２４】  図示するように、開口布部２の裏側における外縁近傍および、本体部１の開口部７側の縁の近傍には、ファスナ６Ｒ、６Ｌが設けられている。より詳細には、ズボン１００は、開口布部２の裏側における外縁部近傍において先端部分に設けられたファスナ５ｂの右側の端部（Ｒ１）から本体部１と開口布部２の境目までと、本体部１の開口部７側の端部において股下側に設けられたファスナ５ａの右側の端部（Ｒ２）から本体部１と開口布部２の境目までを着脱するファスナ６Ｒを備える。また、ズボン１００は、開口布部２の裏側における外縁部近傍において先端部分に設けられたファスナ５ｂの左側の端部（Ｌ１）から本体部１と開口布部２の境目までと、本体部１の開口部７側の端部において股下側に設けられたファスナ５ａの左側の端部（Ｌ２）から本体部１と開口布部２の境目までを着脱するファスナ６Ｌを備える。本実施形態のファスナ６Ｒ、６Ｌは、いわゆる線ファスナであって、スライド８Ｒ、８Ｌを移動させることによって開閉するように構成される。なお、図中に示す各端部Ｌ１、Ｌ２、Ｒ１、Ｒ２は、ファスナを閉める際に移動するスライド８Ｒ、８Ｌの終端位置を示す。
【００２５】  このように、本実施形態の本体部１および開口布部２は、ファスナ５ａ、５ｂ、および、ファスナ６Ｒ、６Ｌを備えることによって、互いに着脱可能に構成される。より詳細には、本実施形態の開口布部２は、外縁を含む開口布部２の外縁部近傍（縁部）における所定位置にファスナ５ｂおよびファスナ６Ｒ、６Ｌを備えるとともに、本体部１の開口部７側の近傍にファスナ５ａおよびファスナ６Ｒ、６Ｌが備わることによって、ファスナ５ａ、５ｂ、６Ｒ、６Ｌを介して本体部１と着脱可能に構成される。
【００２６】  なお、開口布部２の大きさ（面積）は、本体部１に形成される開口部７の大きさよりも大きく設定されるのが好ましい。このように設定されることにより、通常使用時において開口布部２と本体部１とがファスナを介して接合された状態（閉状態）において、開口布部２の縁部の裏側において本体部１の外側と対向する部分が形成される。そして、この対向する部分にファスナ６Ｒ、６Ｌを設けることにより、閉状態においてファスナ６Ｒ、６Ｌを開口布部２の裏側（着用者の身体側）に隠すことができる。これにより、閉状態におけるズボン１００の外観にファスナ６Ｒ、６Ｌが現れないので、ファスナ６Ｒ、６Ｌが見えることに起因してズボン１００の美観が損なわれることを回避することができる。
【００２７】  図５は、ズボン１００の使用状態を説明するための図である。図５（ａ）は、開口布部２が本体部１から離れ、上方に捲り上げられようとしている状態を示す。すなわち、図５（ａ）は、着用者が排尿しようとしている時の使用状態を示す。図５（ｂ）は、図１と同様、排尿時以外の通常使用時、すなわち、開口布部２が本体部１と接合している状態（閉状態）を示す。
【００２８】  図５（ａ）が示すように、着用者がスライド８を上方に移動させてファスナ６Ｒ、６Ｌを開くとともに、ファスナ５ｂをファスナ５ａから引きはがすことによって、開口布部２が本体部１から離れ、開口部７が形成される。
【００２９】  本実施形態の開口布部２は、上述したように局部を覆うのに十分な大きさを有するように構成されている。したがって、開口布部２が上方に捲り上げられることによって形成される開口部７は、局部を取り出すための開口部として十分な大きさが確保されているので、着用者は排尿時に開口部７を介して局部を容易に素早く取り出すことができる。
【００３０】  なお、上方に捲り上げられる開口布部２の先端部分等を例えばズボン１００の上端部分において本体部１の内側（ズボンと身体の間）に挟む、あるいは、前立て部１０からズボンの中に入れ込む等することで、開口布部２が上方に捲り上げられた状態を手を使わずに維持することができる。
【００３１】  一方、図５（ｂ）が示すように、閉状態におけるズボン１００は、上述したようにファスナ６Ｒ、６Ｌが開口布部２の裏側に配置されるとともに、スライド８Ｒ、８Ｌおよびファスナ５ａ、５ｂがズボン１００の股下部分に配置されるので、これらファスナの存在を目立たせずに、前立て部１０が備わる通常のズボンとほぼ同様の外観を示すことができる。
【００３２】  なお、図１、図２等で図示する開口布部２を描く線（股下から左右の股関節側に引かれた線）は、実際のズボン１００においては、開口布部２と本体部１を同質同色の布（素材）で構成する、或いは、柄や模様が描かれている場合には模様を合わせる等することで、より目立たなくすることができる。
【００３３】  以上が本実施形態にかかるズボン１００の構成の詳細である。以下では、本実施形態のズボン１００の変形例について説明する。
［変形例１］
図６は、上述した一実施形態に係るズボン１００の変形例１を説明するための図である。変形例１に係るズボン１００は、前立て部１０を有さない点が上述の実施形態とは主に相違する。すなわち、変形例１のズボン１００は、ジャージ、パジャマ、あるいは雨合羽等を含む。一例として図示する変形例１のズボン１００は、パジャマであって、腰部を締める手段としていわゆるウエストゴムが採用される。
【００３４】  なお、変形例１に係るパジャマやジャージ等は、睡眠時、あるいは運動時に用いられることが多いため、着心地や伸縮性の観点から柔らかい素材で構成される。したがって、変形例１に係るファスナ６Ｒ、６Ｌは、線ファスナに代えて、相対的に柔らかい素材で構成される面ファスナ、あるいは、相対的に小さく、素材の伸縮性を大きく損なわない点ファスナ（ドット釦）等が採用されるのが好ましい。
【００３５】  以上、一実施形態のズボン１００によれば、男性が着用するズボン１００であって、本体部１と、ズボン１００の前面において局部を覆う位置に設けられた開口布部２と、を備え、開口布部２は、ズボン１００の股下側から上方に捲り上げられることにより局部を取り出し可能な開口部７を形成する。これにより、着用者は、ズボンの前面中央に設けられた開口布部２を捲り上げる単純動作によって局部を解放するのに十分な大きさを有する開口部７を形成することができるので、排尿時に局部を容易に素早く取り出す（露出させる）ことができる。結果、排尿したい時に局部を素早く取り出せないことによって発生し得る尿漏れ等のトラブルを防止することができる。
【００３６】  また、一実施形態のズボン１００によれば、開口布部２は、ズボン１００の前面において本体部１と連続する折り曲げ部９と、折り曲げ部９より股下側において本体部１と着脱可能に構成された縁部とを有し、開口部７は、縁部が本体部１から離れるとともに折り曲げ部９を支軸として上方に捲り上げられることにより形成される。このような具体的な構成に基づいて開口布部２が上方に捲り上げられることにより、ズボン１００の前面において、適切な位置に適当な大きさの開口部を素早く形成することができる。
【００３７】  また、一実施形態のズボン１００は、ファスナ（５ａ、５ｂ、６Ｒ、６Ｌ）をさらに有し、縁部は、ファスナ（５ａ、５ｂ、６Ｒ、６Ｌ）を介して本体部１と着脱可能に構成される。これにより、ファスナ（５ａ、５ｂ、６Ｒ、６Ｌ）の種類（面ファスナ、点ファスナ、線ファスナ等）を適宜選択することによって、開口布部２を本体部１に容易にかつ素早く着脱可能に構成することができる。
【００３８】  また、一実施形態のズボン１００によれば、縁部は、ファスナが閉じた状態（通常使用時の状態）において本体部１の外側と対向する部分を含み、ファスナの少なくとも一部は、当該対向する部分に設けられる。これにより、通常使用時においては外観にファスナが現れないので、ファスナの存在が見えることによってズボン１００のデザイン性が損なわれることを回避することができる。
【００３９】  また、一実施形態のズボン１００によれば、開口布部２は、股下側に向かうテーパー形状に構成される。開口布部２をこのような形状にすることによって、開口布部２は、ズボン１００の前面において局部を適切な範囲で覆うことができる。
【００４０】  以上、本発明の実施形態および変形例について説明したが、上記実施形態および変形例は本発明の適用例の一部を示したに過ぎず、本発明の技術的範囲を上記実施形態および変形例の具体的構成に限定する趣旨ではない。上記の実施形態および変形例は、矛盾が生じない範囲で適宜組み合わせ可能である。
【００４１】  例えば、上述したファスナ５ａ、５ｂ、６Ｒ、６Ｌの種類は、必ずしも上述したファスナに限られない。ファスナ５ａ、５ｂ、６Ｒ、６Ｌは、着脱の容易性（局部の取り出しやすさ）、着心地、コスト等を考慮して点ファスナ、線ファスナ、面ファスナ、あるいは、例えば磁力を用いる他の着脱手段等のいずれか一つ以上が適宜選択されてよい。
【００４２】  また、図面を参照して説明した本体部１、開口布部２、開口部７等の形状および大きさは上述したものに限られない。局部の取り出しやすさやデザイン性を考慮して適宜変更されてよい。例えば開口布部２は、股下側に向かう四角形または扇型のテーパー形状である必要は必ずしもなく、楕円形等であってもよい。
【００４３】  また、開口布部２と本体部１との境目として規定した折り曲げ部９は、図４に図示する線のように厳密に規定される必要は必ずしもない。折り曲げ部９の位置および範囲は、開口布部２を上方に捲り上げる際に生じる折り目部分を基準に適宜定められてよい。
【００４４】  また、ファスナ５ｂ、６Ｒ、６Ｌが設けられる開口布部２の縁部も、開口布部２における折り曲げ部９以外の領域における外縁（外周縁）およびその近傍を示す用語であり、その位置および範囲は適宜設定されてよい。
【００４５】  また、例えばファスナ５ａ、５ｂと、本体部１、開口布部２との接合態様は、図３を参照して上述した態様に限られない。これらの接合態様も着心地等を考慮して適宜変更されてよい。例えば、図７で示すように、ファスナ５ａを本体部１の股下部分における外側に接合してもよい。このようにすることで、ファスナ５ａ、５ｂが開口布部２と本体部１とが対向する部分に配置されるので、これらが着用者の肌に触れることを回避することができる。
【００４６】  また、本発明のズボン１００は、上述したスラックスやパジャマ等に限らず、制服やユニホーム、半ズボン、下ズボン等の他の下半身用の被服にも適用することができる。
【符号の説明】
【００４７】  １…本体部
２…開口布部
５ａ、５ｂ、６Ｒ、６Ｌ…ファスナ
７…開口部
９…折り曲げ部
１００…ズボン
【図１】
2020190061.tif 000003
【図２】
2020190061.tif 000004
【図３】
2020190061.tif 000005
【図４】
2020190061.tif 000006
【図５】
2020190061.tif 000007
【図６】
2020190061.tif 000008
【図７】
2020190061.tif 000009